(57)【特許請求の範囲】
【請求項１】
道糸とハリスを結合させるための釣り用サルカンであって、
前記道糸及び前記ハリスをそれぞれ結び付けるための止め環がサルカン本体の両端に設けられ、前記各止め環に粉体塗装を施したことを特徴とする釣り用サルカン。
【請求項２】
前記サルカン本体の表面適所に自重を表記した重量表示部を設けたことを特徴とする請求項１に記載の釣り用サルカン。
【請求項３】
前記重量表示部の自重は、釣り用仕掛けにおけるガン玉の重量表示と同一の表記法に従って設定されていることを特徴とする請求項２に記載の釣り用サルカン。
【請求項４】
前記道糸側の止め環を前記ハリス側の止め環よりも大きく形成したことを特徴とする請求項１〜３のいずれか１項に記載の釣り用サルカン。
【発明の詳細な説明】
【０００１】
【発明の属する技術分野】
本発明は、釣り用仕掛け等において道糸とハリスとを結合するために用いる釣り用サルカンに関するものである。
【０００２】
【従来の技術】
磯釣り等において、仕掛けを用いて釣りを行う場合、例えば図３に示したような仕掛け１０を使用する。図４は、この仕掛け１０の構成例を示している。図において、道糸（釣糸）１１は順次、シモリ玉１２、当たり浮き１３、クッション（Ｏクッション）１４、水中浮き１５及びクッション（Ｔクッション）１６にそれぞれ挿通している。この仕掛け１０は所謂遊動仕掛けと称し、当たり浮き１３及び水中浮き１５が道糸１１に沿って所定範囲で移動可能になっている。
【０００３】
また、ハリス１７の先端及び途中適所に釣針１８及びガン玉（鉛玉で成る錘）１９をそれぞれ設け、該ハリス１７が所謂サルカン２０を介して道糸１１の先端に結合される。このサルカン２０は、撚り戻し又はスイベルとも呼ばれいる。つまり道糸１１とハリス１７とを回転自在に結合するもので、仕掛け１０の使用中に道糸１１及びハリス１７相互間で撚れが生じないようにする。
【０００４】
例えば、図４に示したような従来の仕掛け１０をセットする場合、道糸１１の先端をシモリ玉１２から順次挿通させる。なお、仕掛け１０の各構成部品には、道糸１１を挿通させるための通孔が形成されている。全ての仕掛け構成部品を挿通後、道糸１１とハリス１７を結合する。この場合、例えば図５（Ａ）〜（Ｂ）の例に示すように道糸１１の先端をサルカン２０の環２０ａに結び付け、これにより図４のような仕掛け１０が構成される。
【０００５】
【発明が解決しようとする課題】
ところで、従来の仕掛け１０において、サルカン２０は当たり浮き１３の下方にセットされるため、実使用においてサルカン２０自体の重量が当たり浮き１３に作用する。ところが、サルカン２０には重量表示が付されていないため、当たり浮き１３の浮力に合わせてガン玉１９をセットした場合でも、当たり浮き１３が沈み過ぎてしまう場合があった。或いはまた、浮力が小さい浮きにあっては、すっかり沈んでしまう等の問題があった。
【０００６】
更に、ガン玉１９をセットする際、そのようなサルカン２０の重量を見込んでガン玉１９の重量を設定したとしても、サルカン２０の重量が不明なため最適重量のガン玉１９を正確に判断・設定することが困難であった。
【０００７】
本発明はかかる実情に鑑み、簡単且つ正確に適正な浮き状態を確保することができる釣り用サルカンを提供することを目的とする。
【０００８】
【課題を解決するための手段】
本発明による釣り用サルカンは、道糸とハリスを結合させるための釣り用サルカンであって、前記道糸及び前記ハリスをそれぞれ結び付けるための止め環がサルカン本体の両端に設けられ、前記各止め環に粉体塗装を施したことを特徴とする。
【０００９】
本発明による釣り用サルカンにおいて、前記サルカン本体の表面適所に自重を表記した重量表示部を設けたことを特徴とする。
【００１０】
本発明による釣り用サルカンにおいて、前記重量表示部の自重は、釣り用仕掛けにおけるガン玉の重量表示と同一の表記法に従って設定されていることを特徴とする。
【００１１】
本発明による釣り用サルカンにおいて、前記道糸側の止め環を前記ハリス側の止め環よりも大きく形成したことを特徴とする。
【００１２】
【作用】
本発明によれば、サルカンを用いて道糸とハリスを結合して成る釣り用仕掛けにガン玉をセットする際、サルカンの重量表示部によりそのサルカン自体の重量を容易に知ることができる。このサルカンの重量から適正な浮き状態を得るために必要なガン玉の重量を正確に把握することができ、仕掛けにおける浮きの最適な浮力セッティングを実現する。
【００１３】
【発明の実施の形態】
以下、図１及び図２に基づき、従来例と実質的に同一部材には同一符号を用いて、本発明による釣り用サルカンの好適な実施の形態を説明する。
【００１４】
この実施形態において、例えば、既に図４との関係で述べたような仕掛け１０において本発明の釣用サルカンを適用するものとする。従って、この実施形態の仕掛けの基本構成は、図４のものと実質的に同様とする。道糸１１とハリス１７とは、本発明の釣用サルカンによって回転自在に結合される。
【００１５】
図１は、本発明の釣り用サルカン１の外観構成を示している。図２は、この釣り用サルカン１の内部構造を示している。釣り用サルカン１は、サルカン本体２と、このサルカン本体２の両端に設けられた道糸１１側の止め環３及びハリス１７側の止め環４とを備えている。サルカン本体２は、好適には真鍮等の材料により概略円筒状を呈するように形成され、両端部には面取りが施されている。止め環３及び４は、好適には真鍮等の材料により形成される。また、サルカン本体２及び止め環３，４には適宜のメッキ処理が施されている。
【００１６】
図１に示したようにサルカン本体２の表面適所には、その自重を表記する重量表示部２ａが設けられている。この重量表示部２ａは好適には、印刷等の方法によって形成することがきる。なお、刻印によって重量表示部２ａを形成してもよい。この図示例では、重量表示部２ａにて「２Ｂ」と表記されているが、この例に限らず、例えば軽いものから順に「Ｂ」、「２Ｂ」、「３Ｂ」或いは「４Ｂ」等の内容で表記される。この場合特に、このように表示されるサルカン１の自重は、仕掛け１０におけるガン玉１９の重量表示と同一の表記法に従って設定されている。
【００１７】
ここで、この種の仕掛け１０において当たり浮き１３等には、所定の浮力表示が行われている。実使用に際して、その浮力表示に基づいてガン玉１９等の重量を決定し、これによりその当たり浮き１３の所期の性能を十分に発揮させるようにしている。その場合の浮力の表記方法としては、例えば浮力の小さいものから順に「Ｂ」、「２Ｂ」、「３Ｂ」、「４Ｂ」．．．のように表示される。一方、ガン玉１９においてもそのような表記方法を用いて、その重量を把握するようになっている。
【００１８】
本発明の釣り用サルカン１によれば、サルカン本体２の重量表示部２ａによりそのサルカン１自体の重量を容易に知ることができる。例えば仕掛け１０にサルカン１を適用した場合、当たり浮き１３と釣り合うようにガン玉１９を選ぶが、サルカン１の重量がその重量表示部２ａによって既に分かっているため、当たり浮き１３の適正な浮き状態を得るために必要なガン玉１９の重量を正確に把握することができる。また逆に所定のガン玉１９を用いた場合に、当たり浮き１３の適正な浮き状態が得られるようにサルカン１を選ぶことができる。
【００１９】
ここで、次の表１は、重量表示内容と対応する重量（ｇ）の例を示している。表から明らかなようにサルカン本体２の重量表示部２ａに、例えば「２Ｂ」と表記されているサルカン１の重量は、０．７５  ｇである。
【００２０】
【表１】
0003549651.tif 000002
【００２１】
この場合、サルカン本体２の重量表示部２ａによるサルカン１の自重は、前述したようにガン玉１９の重量表示と同一の表記法（表１）に従って設定されている。例えば、仕掛け１０において、浮力「５Ｂ」の当たり浮き１３に対しては、重量「２Ｂ」のサルカン１を用いた場合、重量「Ｂ」の２つのガン玉１９を使用すると、当たり浮き１３の適正な浮き状態が得られる。このようにサルカン１の重量をガン玉１９の重量表示と同一の仕方で設定しているため、簡単且つ的確に所望のサルカン１或いはガン玉１９を選定することができる。
【００２２】
ところで、前述したように止め環３には道糸１１が、また止め環４にはハリス１７がそれぞれ結び付けられる（図１）。この実施形態においては、好適には道糸１１側の止め環３の径は、ハリス側１７の止め環４よりも１まわり程度大きく形成されている。通常、仕掛け１０においては道糸１１がハリス１７よりも太くなっている。こように止め環３を大径にすることで、例えば図５の例にも示したように道糸１１を止め環３に結び付ける際、かかる太い道糸１１を結び付け易くすることができる。従って、取扱を容易化することができる。
【００２３】
更に、止め環３及び止め環４には、それぞれ図２の斜線で示した部分に粉体塗装を施こすとよい。この粉体塗装を施すことにより、止め環３及び止め環４に道糸１１又はハリス１７を結び付けたとき、それらの結節強度を高めることができる。従って、道糸１１及びハリス１７の糸切を有効に防止することができる。
【００２４】
なお、上記実施形態において本発明の釣り用サルカン１を仕掛け１０に適用した場合の例を説明したが、本発明の釣り用サルカンは、その他の態様の仕掛けや、浮きを使用する釣りにおいて効果的に適用することができる。また、上記説明中の具体的数値例等に限定されるものではない。
【００２５】
【発明の効果】
以上説明したように本発明によれば、この種の釣り用仕掛けにおいて、ガン玉をセットする際、サルカン自体の重量を容易に知ることができるため適正な浮き状態を得るために必要なガン玉の重量を正確に把握することができ、仕掛けにおける浮きの最適な浮力セッティングを実現する。その場合、サルカンの重量の設定の仕方をガン玉の重量との関係で工夫したことにより、正確な浮力又は重量設定ができる上、優れた使い勝手を実現する等の利点を有している。
【図面の簡単な説明】
【図１】本発明の釣り用サルカンの実施形態における外観図である。
【図２】本発明の釣り用サルカンの実施形態における断面図である。
【図３】従来の仕掛けを使用する釣りの例を示す斜視図である。
【図４】従来の仕掛けの構成例を示す図である。
【図５】従来の仕掛けに係るサルカンにおける使用例を説明する図である。
【符号の説明】
１    釣り用サルカン
２    サルカン本体
２ａ  重量表示部
３，４    止め環
１０    仕掛け
１１    道糸
１３    当たり浮き
１５    水中浮き
１７    ハリス
１９    ガン玉
【図１】
0003549651.tif 000003
【図２】
0003549651.tif 000004
【図３】
0003549651.tif 000005
【図４】
0003549651.tif 000006
【図５】
0003549651.tif 000007